(57)【要約】      （修正有）【課題】便器本体のリムの上面部と便座との間に形成された隙間に介在せしめて使用するトイレットペーパー資材製排尿こぼれ防止体を提供する。【解決手段】巻き上げ状態となっている水溶性素材の筒状トイレットペーパーを所定の長さだけ引出すか、又は所定の長さだけカットしたこぼれ防止部材を、所定の太さに幾重にも重ね合せるか、又は所定の太さに丸めて排尿こぼれ防止体ａとし、便器本体のリム６と便座７の間に形成されている隙間に介在させる。排尿こぼれ防止体は、所定の太さに幾重にも重ね合せるか、又は所定の太さに丸めると共に重ね合せるか、丸めた後、捻りを加えて強度を保持せしめて形成してもよい。【選択図】図１２
0003212185.tif 000002
【実用新案登録請求の範囲】
【請求項１】
巻き上げ状態となっている水溶性素材の筒状トイレットペーパーを所定の長さだけ引出すか、又は所定の長さだけカットしたこぼれ防止部材を、所定の太さに幾重にも重ね合せるか、又は所定の太さに丸め形成せしめられる排尿こぼれ防止体から成ることを特徴とする、トイレットペーパー資材製排尿こぼれ防止体。
【請求項２】
排尿こぼれ防止体が、所定の太さに幾重にも重ね合せるか、又は所定の太さに丸めると共に、前記のように重ね合せるか、丸めた後、捻りを加えて強度を保持せしめ形成されていることを特徴とする、請求項１に記載のトイレットペーパー資材製排尿こぼれ防止体。
【請求項３】
排尿こぼれ防止体を形成するこぼれ防止部材が、前記筒状トイレットペーパーを構成する破断線にてカットせしめ形成されていることを特徴とする、請求項１又は２に記載のトイレットペーパー資材製排尿こぼれ防止体。
【請求項４】
排尿こぼれ防止体のこぼれ防止部材の重ね合せが、前記筒状トイレットペーパーの先端部より破断線の方向に最初は大きく漸次小さく重ね合せるか、又は先端部より破断線の方向に丸め形成されていることを特徴とする、請求項１又は２又は３に記載のトイレットペーパー資材製排尿こぼれ防止体。
【請求項５】
排尿こぼれ防止体のこぼれ防止部材が、前記破断線の複数目の破断線までであることを特徴とする、請求項１又は２又は３又は４に記載のトイレットペーパー資材製排尿こぼれ防止体。
【請求項６】
排尿こぼれ防止体のこぼれ防止部材の重ね合せ又は丸め状態が、前記筒状トイレットペーパーの左側耳部より右側耳部の方向に、もしくは右側耳部より左側耳部の方向に幾重にも重ね合せるか又は丸められることを特徴とする、請求項１又は２又は３又は４又は５に記載のトイレットペーパー資材製排尿こぼれ防止体。
【請求項７】
排尿こぼれ防止体が、便器本体を構成するリムと便座との間に形成されている隙間に排出した排尿のこぼれを防止するため介在せしめられていることを特徴とする、請求項１又は２又は３又は４又は５又は６に記載のトイレットペーパー資材製排尿こぼれ防止体。
【請求項８】
排尿こぼれ防止体が、抗菌スプレーで吹き付けられていることを特徴とする、請求項１又は２又は３又は４又は５又は６又は７に記載のトイレットペーパー資材製排尿こぼれ防止体。
【考案の詳細な説明】
【技術分野】
【０００１】
本考案は、トイレットペーパー資材製排尿こぼれ防止体に係り、さらに言えば、既存の水溶性素材の筒状トイレットペーパーを巻き上げられている状態から引き出すか、又は所定の長さだけカットし、カットされたこぼれ防止部材を重ね合せるか又は丸めると共に、前記のように重ね合せるか丸められて形成された後、手指等で捻りを加えて強度を付加せしめ形成された排尿こぼれ防止体とし、使用時は便器本体を構成するリムの上面部と便座との間に形成された隙間に介在せしめて使用する排尿こぼれ防止体の技術分野に関するものである。
【背景技術】
【０００２】
従来、洋式便座カバー兼用トイレットペーパーに関し、実用新案登録第３０４５０７６号公報（特許文献１）に記載の技術が開示されている。
【０００３】
前記の特許文献１に記載された洋式便座カバー兼用トイレットペーパーは、普通よりも幅広で長い長手の内面紙２ａ及び外面紙２ｂを片耳または両耳の接合で便座６よりも太いエンドレス筒状２に形成して長手方向に長い筒状トイレットペーパー１を構成し、該筒状トイレットペーパー１に、便座６枠杆の略半分の長さの等間隔で、かつ夫々僅か位置をずらした内面紙２ａ側の破断線３ａ及び外面紙２ｂ側の破断線３ｂとして夫々設けて多数の分断筒ペーパー１Ａの連なった筒状トイレットペーパー１としてリール４に巻いてなり、上記筒状トイレットペーパー１より破断した分断筒トイレットペーパー１Ａを便座６に挿入してこれを被覆し得るようにした洋式便座カバー兼用トイレットペーパーである。
【０００４】
従って、前記のように従来から開示されているトイレットペーパーは、洋式便座カバー兼用トイレットペーパーであって、便器本体を構成するリムの上面部と便座との間に形成されている隙間に介在させて使用するものではないし、さらに老若男女や小人らが自身の臀部を乗せて大小便をする際に発生する排尿こぼれを吸着し、且排尿を便器に付着せしめたり、あるいは便器本体以外に飛散せしめるのを未然に防止することができるものではない。
【０００５】
さらに、従来の筒型トイレットペーパーとして、実用新案登録第３１３５６２７号公報（特許文献２）に記載の技術が開示されているが、このトイレットペーパーは、トイレットペーパー１を筒状２に成型し、大便後、使用する場合は適宜に切って使用し、男子が立ち姿で小便をする場合は、陰茎から便器３の中まで入る長さに切り、一方の筒の中に陰茎を差し込み、もう一方を便器の中に入れる。そして尿はトイレットペーパー１の筒状２の中を伝わり便器に入る。この事により尿は全く、飛び散る事が無く、便器や床を汚すことが無くなる。又、小便後、陰茎に付着している尿もそのまま拭き取ることが出来、下着等を清潔に保つ事が出来衛生的である。と云うものである。
【０００６】
従って、前記のように従来から開示されているトイレットペーパーは、筒状にて形成されているため、適宜に切って使用するものであって、重ね合せたりあるいは丸めたりして、便器本体を構成するリムの上面部と便座との間に形成されている隙間に介在させて使用するものでもなく、さらに老若男女や大人や子供らが自身の臀部を乗せて大小便をする際に発生する排尿こぼれを吸着し、且排尿を便器に付着せしめたり、あるいは便器本体以外に飛散せしめるのを未然に防止することができるものではない。
【先行技術文献】
【特許文献】
【０００７】
【特許文献１】実用新案登録第３０４５０７６号公報
【特許文献２】実用新案登録第３１３５６２７号公報
【考案の概要】
【考案が解決しようとする課題】
【０００８】
しかるに、本考案が解決しようとする課題は、前記した特許文献１と同２に記載された考案に関するトイレットペーパーとは異なり、既存の水溶性素材の筒状トイレットペーパーを所定の長さだけ引出すか、又は所定の長さだけカットしたこぼれ防止部材を所定の太さになるように幾重にも重ね合せるか、又は所定の太さに丸めた後、捻りを加えて強度を保持せしめた排尿こぼれ防止体を、便器の本体を構成するリムと便座との間の隙間に介在せしめ、臀部を乗せて排尿せしめても、前記排尿が前記便器のリムと便座との間に形成される隙間に、侵入したとしても、前記のように介在中のこぼれ防止体に吸着され、便器の外側に飛散せしめるのを防止せしめた。
【０００９】
さらに本考案の排尿こぼれ防止体は、捻りを加えて形成されているので、前記便器のリムと便座との間に介在せしめた際に、前記便器のリムと便座に密着し、リムと便座との間に形成された間隙部を確実に埋めて隙間をなくし、排尿もれを解消せしめるものである。
【００１０】
また本考案の排尿こぼれ防止体は、所定の長さだけ引出すか、又は所定の長さだけカットせしめた前記筒状トイレットペーパーのこぼれ防止部材を、左側耳部より右側耳部の方向に、もしくは右側耳部より左側耳部の方向に幾重にも重ね合せるか、又は丸め込むようにして太い形状に形成せしめて長さを長目に形成せしめて、前記便器本体のリムと便座との間に形成された隙間に、長目に介在できるようにし、そのため便座に臀部を乗せて排便排尿時における排尿の飛散を確実に食い止めることができるようにした。
【００１１】
さらに本考案の排尿こぼれ防止体は、前記のようにして幾重にも重ね合せたり、あるいは丸め、そして全体を手指で捻ねった後、抗菌スプレーを吹き付け、前記便器本体のリムと便座との間に介在せしめ、衛生面にも配慮しながら使用することができる。
【００１２】
本考案の排尿こぼれ防止体は、排便もしくは排尿後において、用済み後、便器や便座に付着した排尿等による汚れを拭き取りした後、便器に投入する等して排水と共に流すことができる。
【００１３】
本考案の排尿こぼれ防止体は、以上のような構成にして、且便器のリムと便座との間に介在せしめ使用し、便器及び便座に付着する汚れを拭き取ることによって、限りある地球の資源を有効活用することに貢献できる優れた利点を多数併有する考案である。
【課題を解決するための手段】
【００１４】
上記課題を解決するための手段として、請求項１に記載の考案は、巻き上げ状態となっている水溶性素材の筒状トイレットペーパーｂを所定の長さだけ引出すか、又は所定の長さだけカットしたこぼれ防止部材１を、所定の太さに幾重にも重ね合せるか、又は所定の太さに丸め形成せしめられる排尿こぼれ防止体ａから成ることを特徴とする、トイレットペーパー資材製排尿こぼれ防止体である。
【００１５】
請求項２に記載の考案は、前記排尿こぼれ防止体ａが、所定の太さに幾重にも重ね合せるか、又は所定の太さに丸めると共に、前記のように重ね合せるか、丸めた後、捻りを加えて強度を保持せしめ形成されていることを特徴とする、トイレットペーパー資材製排尿こぼれ防止体である。  
【００１６】
請求項３に記載の考案は、前記排尿こぼれ防止体ａを形成するこぼれ防止部材１が、前記筒状トイレットペーパーｂを構成する破断線２にてカットせしめ形成されていることを特徴とする、トイレットペーパー資材製排尿こぼれ防止体である。
【００１７】
請求項４に記載の考案は、前記排尿こぼれ防止体ａのこぼれ防止部材１の重ね合せが、前記筒状トイレットペーパーｂの先端部３より破断線２の方向に最初は大きく漸次小さく重ね合せるか、又は先端部３より破断線２の方向に丸め形成されていることを特徴とする、トイレットペーパー資材製排尿こぼれ防止体である。
【００１８】
請求項５に記載の考案は、前記排尿こぼれ防止体ａのこぼれ防止部材１が、前記破断線２の複数目の破断線２までであることを特徴とする、トイレットペーパー資材製排尿こぼれ防止体である。
【００１９】
請求項６に記載の考案は、前記排尿こぼれ防止体ａのこぼれ防止部材１の重ね合せ又は丸め状態が、前記筒状トイレットペーパーｂの左側耳部４より右側耳部５の方向に、もしくは右側耳部５より左側耳部４の方向に幾重にも重ね合せるか又は丸められることを特徴とする、トイレットペーパー資材製排尿こぼれ防止体である。
【００２０】
請求項７に記載の考案は、前記排尿こぼれ防止体ａが、便器本体ｃを構成するリム６と便座７との間に形成されている隙間に排出した排尿のこぼれを防止するため介在せしめられていることを特徴とする、トイレットペーパー資材製排尿こぼれ防止体である。
【００２１】
請求項８に記載の考案は、前記排尿こぼれ防止体ａが、抗菌スプレーで吹き付けられていることを特徴とする、トイレットペーパー資材製排尿こぼれ防止体である。
【考案の効果】
【００２２】
本考案のトイレットペーパー資材製排尿こぼれ防止体は、上述のとおり既存の水溶性素材の筒状トイレットペーパーを巻き上げられている状態から引き出すか、又は所定の長さだけカットし形成せしめられた状態のこぼれ防止部材を重ね合せるか、又は所定の太さに丸めて形成するものなので、便器を構成する便器本体のリムと便座との間の隙き間に、極めて簡単にして、且容易に介在せしめることができると共に、老若男女や子供らが臀部を乗せて排尿せしめた際、排尿が前記便器本体のリムと便座との間の隙き間に当り侵入してきても、排出された排尿が確実に前記のように介在されている排尿こぼれ防止体に吸収もしくは吸着せしめられて、便器の外側部等に漏れ出すことはない。
【００２３】
さらに、本考案のトイレットペーパー資材製排尿こぼれ防止体は、重ね合せるか、又は所定の太さに丸める方向が、左側耳部から右側耳部の方向に、あるいは右側耳部から左側耳部の方向に重ね合せるか、又は丸めるようにしたので、全長が長くなり、それに応じて便器本体のリムと便座との間に形成された隙き間にも、長目に介在させることができ、より一層排尿の漏れを防止せしめることができる。
【００２４】
また本考案のトイレットペーパー資材製排尿こぼれ防止体は、所定の太さに重ね合せるか、丸められた後、手指等で若干捻りを加えて前記便器本体のリムと便座との間に介在させることができるので、全体の太さを保持せしめて型崩れせず何度でも再利用をすることができる利点を有している。
【００２５】
さらに前記のようにして捻りを加えた排尿こぼれ防止体は、排便と排尿後に便器本体の表面部や便座の裏面部を拭き取る際に、前記排尿こぼれ防止体の両端部を手指でつかむと固くなり、清掃作業が仕易くなる利点がある。
【図面の簡単な説明】
【００２６】
【図１】本考案トイレットペーパー資材製排尿こぼれ防止体を構成するこぼれ防止部材の破断前の状態を示す斜視図である。
【００２７】
【図２】同図１のこぼれ防止部材が破断前の筒状トイレットペーパーの平面図である。
【００２８】
【図３】同図２のこぼれ防止部材を重ね合せた状態の筒状トイレットペーパーの平面図である。
【００２９】
【図４】同図３の重ね合せたこぼれ防止部材をさらに重ね合せた状態の筒状トイレットペーパーの平面図である。
【００３０】
【図５】同図４のこぼれ防止部材をさらに重ね合せた状態のこぼれ防止部材付き筒状トイレットペーパーの平面図である。
【００３１】
【図６】同図５の重ね合せたこぼれ防止部材をさらに重ね合せたこぼれ防止部材付き筒状トイレットペーパーの平面図である。
【００３２】
【図７】同図６の重ね合せたこぼれ防止部材をさらに重ね合せたこぼれ防止部材付き筒状トイレットペーパーの平面図である。
【００３３】
【図８】同図７の状態のこぼれ防止部材を破断線から切り離した本考案の排尿こぼれ防止体の平面図である。
【００３４】
【図９】同図８の排尿こぼれ防止体に、捻りを加えた状態の排尿こぼれ防止体の平面図である。
【００３５】
【図１０】同図９の排尿こぼれ防止体を若干折曲せしめた状態の排尿こぼれ防止体の平面図である。
【００３６】
【図１１】同図１０に示する排尿こぼれ防止体を介在せしめる以前の便器本体と便座を示す一部切欠斜視図である。
【００３７】
【図１２】同図１１に示す便座の裏面部に排尿こぼれ防止体を手指で押えた状態の斜視図である。
【００３８】
【図１３】同図１２に図示した排尿こぼれ防止体が便器本体のリムと便座との間に介在せしめられた状態を示す便器本体と便座の一部切欠斜視図である。
【００３９】
【図１４】同図１の筒状トイレットペーパーにこぼれ防止部材が重ね合せられるかもしくは丸められる前の状態を示す平面図である。
【００４０】
【図１５】同図１４のこぼれ防止部材を破断線からカットし、右側耳部を左側耳部に重ね合せた状態の平面図である。
【００４１】
【図１６】同図１５のこぼれ防止部材を幾重にも重ね合せ、且捻りを加えた排尿こぼれ防止体の平面図である。
【考案を実施するための最良の形態】
【００４２】
本考案の請求項１〜８に記載の考案に関する実施の形態は、共通しているので、一括して以下のとおり説明する。
【実施例１】
【００４３】
排尿こぼれ防止体に関する実施例１について。
図において、ａは水溶性素材の筒状トイレットペーパーｂが、セットされたままか、もしくはセット以前の単体のままのトイレットペーパーｂを巻き上げられている状態から所定の長さだけ引出すか、所定の長さでカットしたこぼれ防止部材１を所定の太さになるまで幾重にも重ね合せて形成された排尿こぼれ防止体である。前記のように本考案は、便所内にセットされているか、セット前の状態のトイレットペーパーｂを使用するものである。
【実施例２】
【００４４】
排尿こぼれ防止体に関する実施例２について。
前記した排尿こぼれ防止体ａのように、前記こぼれ防止部材１を重ね合せ所定の太さに形成したものに、抗菌スプレー（図面なし）を介して吹き付けて形成することもできる。
【実施例３】
【００４５】
排尿こぼれ防止体に関する実施例３について。
排尿こぼれ防止体ａは、前記こぼれ防止部材１を重ね合せ所定の太さにして形成する手法と異なり、前記こぼれ防止部材１を、前記こぼれ防止部材１の一端部を所定の太さになるまで丸め込んで形成することもできる。
【実施例４】
【００４６】
排尿こぼれ防止体に関する実施例４について。
前記排尿こぼれ防止体ａの実施例３によって所定の太さに丸め込まれて形成せしめられた排尿こぼれ防止体ａに、抗菌スプレー（図面なし）を吹き付け抗菌作用を機能せしめてもよい。
【実施例５】
【００４７】
排尿こぼれ防止体に関する実施例５について。
前記実施例１〜４によって形成せしめられた本考案の排尿こぼれ防止体ａは、後述する使用時において両手指で前記排尿こぼれ防止体ａの左端部１ａと右端部１ｂをつまんで捻りを加えて形成せしめても良い。このように捻りを加えると丈夫になり破損しにくくなって製品価値が著しく高められる。
【実施例６】
【００４８】
排尿こぼれ防止体に関する実施例６について。
前記排尿こぼれ防止体ａに関する実施例１〜５として列挙した前記排尿こぼれ防止体ａは、基本となる水溶性素材の筒状トイレットペーパーｂを引出し所定の長さである、例えば破断線２の個所にてカットせしめたこぼれ防止部材１の一端部より幾重にも重ね合せ所定の太さに形成せしめるか、もしくは前記こぼれ防止部材１の一端部より所定の太さになるまで丸め込んで形成する手法と異なり、前記のようにカットしたこぼれ防止部材１の左側耳部４より左側耳部５の方向に幾重にも重ね合せるか、もしくは丸めながら所定の太さに形成せしめても良い。
【００４９】
さらに前記のようにして形成せしめられた排尿こぼれ防止体ａは、右側耳部５から左側耳部４の方に重ね合せるか、もしくは丸めながら所定の太さに形成せしめても良い。
【００５０】
そして、前記のように左右両側耳部４、５の何れか一方の耳部より他の耳部方向に重ね合せるか、もしくは丸めて形成せしめた排尿こぼれ防止体ａに対し、抗菌スプレーを吹き付け抗菌作用を機能せしめても良い。
【００５１】
排尿こぼれ防止体と便器本体と便座との関係について説明する。
前記した各実施例のように形成せしめられた本考案の排尿こぼれ防止体ａの使用方法を説明すると以下のとおりである。
【００５２】
本考案の排尿こぼれ防止体ａが、図７、８のように形成せしめられ、抗菌スプレーを吹き付け抗菌機能を保持せしめた後、若干曲げて、便座７の前方部７ａの裏面部７ｂに手指を介して付着せしめる。
【００５３】
しかる後前記便座７の裏面部７ｂに手指にて付着せしめられた排尿こぼれ防止体ａをそのまま便器本体ｃを構成している上方開口部のリム６に乗せてやる。
【００５４】
その際前記排尿こぼれ防止体ａは、前記便器本体ｃのリム６と前記便座７との間に、便座７の裏面部７ｂに所定の間隔おきに形成されている突起部７ｃによって形成されている隙き間７ｄに介在する。従って大小人が排便のため後ろ向きになって臀部を前記便座７の上面部に７ｅに腰をおろした状態で排尿をしても、排尿の一部が前記便器本体ｃのリム６と前記便座７との間に介在せしめられている本考案の排尿こぼれ防止体ａが、確実に吸収する。
【００５５】
そのため、排尿の一部が前記便器本体ｃのリム６と前記便座７との間に形成の隙き間７ｄより、便器本体ｃの外側部に漏れ出すことがない。
【００５６】
用済み後は、前記のように使用された排尿こぼれ防止体ａを、前記便座７を上方向に持上げ、手指でつかみ、便器本体ｃ等に付着する汚れを拭き取り処理する。前記のように拭き取り処理後は、便器本体ｃ内に捨てる。
【００５７】
本考案の排尿こぼれ防止体ａは、水溶性素材のため便器本体ｃ内の貯水に溶け出すので極めて便利である。
【００５８】
本考案の排尿こぼれ防止体ａは、通常１回毎の使用とするが、使用回数については限定するものではない。
【００５９】
さらに、本考案の排尿こぼれ防止体ａは、所定の太さになるまで重ね合せるか、又は所定の太さになるまで丸めて形成するものであるが、前記筒状トイレットペーパーｂを引出した際に、前記破断線２から切り離さずに、便所内でセットされたままの状態で、重ね合せるか、又は先端部３より丸めて所定の太さになったらカットしても良い。いわゆる形成方法は限定されるものではない。
【００６０】
以上に本考案の実施例を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００６１】
ａ      排尿こぼれ防止体
ｂ      トイレットペーパー
ｃ      便器本体
１      こぼれ防止部材
１ａ    左端部
１ｂ    右端部
２      破断線
３      先端部
４      左側耳部
５      右側耳部
６      リム
７      便座
７ａ    前方部
７ｂ    裏面部
７ｃ    突起部
７ｄ    隙き間
７ｅ    上面部
【図１】
0003212185.tif 000003
【図２】
0003212185.tif 000004
【図３】
0003212185.tif 000005
【図４】
0003212185.tif 000006
【図５】
0003212185.tif 000007
【図６】
0003212185.tif 000008
【図７】
0003212185.tif 000009
【図８】
0003212185.tif 000010
【図９】
0003212185.tif 000011
【図１０】
0003212185.tif 000012
【図１１】
0003212185.tif 000013
【図１２】
0003212185.tif 000014
【図１３】
0003212185.tif 000015
【図１４】
0003212185.tif 000016
【図１５】
0003212185.tif 000017
【図１６】
0003212185.tif 000018
【手続補正書】
【提出日】平成29年6月29日(2017.6.29)
【手続補正１】
【補正対象書類名】実用新案登録請求の範囲
【補正対象項目名】請求項５
【補正方法】変更
【補正の内容】
【請求項５】
排尿こぼれ防止体のこぼれ防止部材が、前記破断線の複数目の破断線の個所でカットされることにより形成されることを特徴とする、請求項３又は４に記載のトイレットペーパー資材製排尿こぼれ防止体。
【手続補正２】
【補正対象書類名】明細書
【補正対象項目名】００１８
【補正方法】変更
【補正の内容】
【００１８】
請求項５に記載の考案は、前記排尿こぼれ防止体ａのこぼれ防止部材１が、前記破断線２の複数目の破断線２の個所でカットされることにより形成されることを特徴とする、請求項３又は４に記載のトイレットペーパー資材製排尿こぼれ防止体である。